(57)【要約】【課題】収容物を傷つけることなく多段積みにすることができるとともに、収容物を良好に取り出すことができる包装箱を提供する。【解決手段】  包装箱１は、底板３，前側板４，後側板５，左側板６，右側板７，左前側頂板９，左後側頂板１０，右前側頂板１１，右後側頂板１２を備える。左前側頂板９，左後側頂板１０，右前側頂板１１，右後側頂板１２とは、折目Ａ１９，Ａ２０，Ａ２３，Ａ２４を介して、板状部材２の内面側と外面側との双方に折曲可能で、各係止片９ｂ，１０ｂ，１１ｂ，１２ｂも、折目Ａ２５を介して、板状部材２の内面側と外面側との双方に折曲可能に形成される。各係止片９ｂ，１０ｂ，１１ｂ，１２ｂが係止される第１係止孔１３と第２係止孔１４とを備える。【選択図】図７
2018122904.tif 000002
【特許請求の範囲】
【請求項１】
四角形状の底板と、該底板の四辺に折目を介して一体に設けられる前側板，後側板，左側板，右側板と、
前記左側板に折目を介して一体に設けられ、前記左側板と前記前側板との角部上面に配置される左前側頂板と、
前記左側板に折目を介して一体に設けられ、前記左側板と前記後側板との角部上面に配置される左後側頂板と、
前記右側板に折目を介して一体に設けられ、前記右側板と前記前側板との角部上面に配置される右前側頂板と、
前記右側板に折目を介して一体に設けられ、前記右側板と前記後側板との角部上面に配置される右後側頂板とを備えた板状部材を組み立てることにより形成される包装箱において、
前記左前側頂板と、前記左後側頂板と、前記右前側頂板と、前記右後側頂板とは、折目を介して、前記板状部材の内面側と外面側の双方に折曲可能に形成されるとともに、前記左前側頂板と前記右前側頂板とは、前側板方向に突出するとともに折目を介して、前記板状部材の内面側と外面側の双方に折曲可能な係止片を、前記左後側頂板と前記右後側頂板とは、後側板方向に突出するとともに折目を介して、前記板状部材の内面側と外面側の双方に折曲可能な係止片をそれぞれ備え、
前記前側板と前記後側板との上縁部に、前記各係止片がそれぞれ係止される第１係止孔が、前記前側板と前記左側板との角部外面と、前記前側板と前記右側板との角部外面と、前記後側板と前記左側板との角部外面と、前記後側板と前記右側板との角部外面とに、前記各係止片がそれぞれ係止される第２係止孔がそれぞれ形成され、
前記左前側頂板と前記右前側頂板と前記左後側頂板と前記右後側頂板とを、折目を介して前記板状部材の内面側にそれぞれ折曲するとともに、前記各係止片を、折目を介して前記板状部材の内面側にそれぞれ折曲し、前記各係止片を前記各第１係止孔に係止する収容物収容状態と、前記左前側頂板と前記右前側頂板と前記左後側頂板と前記右後側頂板とを、折目を介して前記板状部材の外面側にそれぞれ折曲するとともに、前記各係止片を、折目を介して前記板状部材の外面側にそれぞれ折曲し、前記各係止片を前記各第２係止孔に係止する収容物取り出し状態とに組換え可能であることを特徴とする包装箱。
【請求項２】
前記左側板と前記左前側頂板及び前記左後側頂板との間にそれぞれ設けられる各折目と、前記右側板と前記右前側頂板及び前記右後側頂板との間にそれぞれ設けられる各折目と、前記左前側頂板，前記左後側頂板，前記右前側頂板，前記右後側頂板と前記各係止片との間にそれぞれ設けられる各折目とに、リード罫または逆罫を入れたことを特徴とする請求項１記載の包装箱。
【発明の詳細な説明】
【技術分野】
【０００１】
本発明は、１枚の板状部材を所定の形状に打ち抜いて組み立てることにより形成される包装箱に関し、詳しくは、果実や生鮮野菜等のパックを収容して、多段積みにすることができる包装箱に関する。
【背景技術】
【０００２】
従来、果実や生鮮野菜等のパックを収容して、多段積みにする包装箱として、１枚の板状部材を所定の形状に打ち抜いて、折目に沿って折り曲げることで形成されるものがあり、四角形状の底板と、底板の四辺に折目を介して一体に設けられる前側板，後側板，左側板，右側板と、開口部上面の四隅に設けられる４つの頂板部とを備え、収容物を外から見やすくするとともに、包装箱を多段積みする際に、頂板部により収容物を保護して傷まないようにしたものがあった（例えば、特許文献１参照。）。
【先行技術文献】
【特許文献】
【０００３】
【特許文献１】特開２００５−１７０４７９号公報
【発明の概要】
【発明が解決しようとする課題】
【０００４】
しかし、上述の特許文献１のものでは、頂板部が、収容した果実や生鮮野菜等のパックの一部を覆っていることから、陳列時に収容されたパックを包装箱から取り出しにくかった。
【０００５】
そこで本発明は、収容物を傷つけることなく多段積みにすることができるとともに、収容物を良好に取り出すことができる包装箱を提供することを目的としている。
【課題を解決するための手段】
【０００６】
上記目的を達成するため、本発明の包装箱は、四角形状の底板と、該底板の四辺に折目を介して一体に設けられる前側板，後側板，左側板，右側板と、前記左側板に折目を介して一体に設けられ、前記左側板と前記前側板との角部上面に配置される左前側頂板と、前記左側板に折目を介して一体に設けられ、前記左側板と前記後側板との角部上面に配置される左後側頂板と、前記右側板に折目を介して一体に設けられ、前記右側板と前記前側板との角部上面に配置される右前側頂板と、前記右側板に折目を介して一体に設けられ、前記右側板と前記後側板との角部上面に配置される右後側頂板とを備えた板状部材を組み立てることにより形成される包装箱において、前記左前側頂板と、前記左後側頂板と、前記右前側頂板と、前記右後側頂板とは、前記折目を介して、前記板状部材の内面側と外面側の双方に折曲可能に形成されるとともに、前記左前側頂板と前記右前側頂板とは、前側板方向に突出するとともに折目を介して、前記板状部材の内面側と外面側の双方に折曲可能な係止片を、前記左後側頂板と前記右後側頂板とは、後側板方向に突出するとともに折目を介して、前記板状部材の内面側と外面側の双方に折曲可能な係止片をそれぞれ備え、前記前側板と前記後側板との上縁部に、前記各係止片がそれぞれ係止される第１係止孔が、前記前側板と前記左側板との角部外面と、前記前側板と前記右側板との角部外面と、前記後側板と前記左側板との角部外面と、前記後側板と前記右側板との角部外面とに、前記各係止片がそれぞれ係止される第２係止孔がそれぞれ形成され、前記左前側頂板と前記右前側頂板と前記左後側頂板と前記右後側頂板とを、折目を介して前記板状部材の内面側にそれぞれ折曲するとともに、前記各係止片を、折目を介して前記板状部材の内面側にそれぞれ折曲し、前記各係止片を前記各第１係止孔に係止する収容物収容状態と、前記左前側頂板と前記右前側頂板と前記左後側頂板と前記右後側頂板とを、折目を介して前記板状部材の外面側にそれぞれ折曲するとともに、前記各係止片を、折目を介して前記板状部材の外面側にそれぞれ折曲し、前記各係止片を前記各第２係止孔に係止する収容物取り出し状態とに組換え可能であることを特徴としている。
【０００７】
また、前記左側板と前記左前側頂板及び前記左後側頂板との間にそれぞれ設けられる各折目と、前記右側板と前記右前側頂板及び前記右後側頂板との間にそれぞれ設けられる各折目と、前記左前側頂板，前記左後側頂板，前記右前側頂板，前記右後側頂板と前記各係止片との間にそれぞれ設けられる各折目とに、リード罫または逆罫を入れると好適である。
【発明の効果】
【０００８】
本発明の包装箱によれば、左前側頂板と左後側頂板と右前側頂板と右後側頂板とを折目を介して板状部材の内面側にそれぞれ折曲するとともに、前記各係止片を、折目を介して前記板状部材の内面側にそれぞれ折曲して各第１係止孔に係止させることにより、収容物の上部に左前側頂板と左後側頂板と右前側頂板と右後側頂板とを配置させることができ、包装箱を多段積みにしても収容物を傷つける虞がない。
【０００９】
また、収容物を取り出す際には、左前側頂板と左後側頂板と右前側頂板と右後側頂板とを折目を介して板状部材の外面側にそれぞれ折曲するとともに、前記各係止片を、折目を介して前記板状部材の外面側にそれぞれ折曲して各第２係止孔に係止させることにより、包装箱の上部全体を大きく開口させることができ、収容物を包装箱から良好に取り出すことができる。
【００１０】
さらに、左側板と左前側頂板及び左後側頂板との間にそれぞれ設けられる各折目と、右側板と右前側頂板及び右後側頂板との間にそれぞれ設けられる各折目と、左前側頂板，左後側頂板，右前側頂板，右後側頂板と各係止片との間にそれぞれ設けられる各折目とに、リード罫または逆罫を入れることにより、各頂板及び各折目を、板状部材の内面側と外面側との双方に良好に折曲することができる。
【図面の簡単な説明】
【００１１】
【図１】本発明の一形態例を示す包装箱の展開図である。
【図２】同じく包装箱の板状部材の斜視図である。
【図３】同じく組み立て途中の状態を示す包装箱の斜視図である。
【図４】同じく各頂板の係止片を各第１係止孔に係止させる状態を示す包装箱の斜視図である。
【図５】同じく各頂板の係止片を各第１係止孔に係止させ、仕切板を取り付けた状態の包装箱の斜視図である。
【図６】同じく各頂板の係止片を第１係止孔に挿入させた際の要部断面図である。
【図７】同じく各頂板の係止片を各第２係止孔に挿入させる状態を示す包装箱の斜視図である。
【図８】同じく各頂板の係止片を各第２係止孔に係止させた状態の包装箱の斜視図である。
【図９】同じく各頂板の係止片を各第２係止孔に挿入させた際の要部説明図である。
【発明を実施するための形態】
【００１２】
図１乃至図９は本発明の包装箱を、例えば苺パックを縦横二列ずつ４パック収容する包装箱に適用した一形態例を示すもので、包装箱１は、段ボールシートからなる板状部材２を図１に示す展開図のように打ち抜いて組み立てることにより形成される。なお、図１において、板状部材２は、包装箱１の前側面を下方、後側面を上方、左側面を左側、右側面を右側に向けた状態である。以下の説明において、図１の上下方向を包装箱１の前後方向とし、図１の左右方向を包装箱１の左右方向として説明する。
【００１３】
板状部材２は、長方形状の底板３と、底板３の一対の長辺にそれぞれ折目Ａ１，Ａ２を介して一体に設けられる前側板４，後側板５と、底板３の一対の短辺にそれぞれ折目Ａ３，Ａ４を介して一体に設けられる左側板６，右側板７とを備えている。
【００１４】
前側板４は、底板３に折目Ａ１を介して連続して形成される前側外板４ａと、前側外板４ａの前記折目Ａ１に対向する外縁部に折目Ａ５を介して一体に形成される前側上縁板４ｂと、前側上縁板４ｂの折目Ａ５に対向する外縁部に折目Ａ６を介して一体に形成される前側内板４ｃとを備えている。
【００１５】
さらに、前側外板４ａの左側端部には、折目Ａ７を介して第１左側連結片４ｄが、前側外板４ａの右側端部には、折目Ａ８を介して第１右側連結片４ｅがそれぞれ一体に形成されるとともに、前側内板４ｃの左側端部には、折目Ａ９を介して第２左側連結片４ｆが、前側内板４ｃの右側端部には、折目Ａ１０を介して第２右側連結片４ｇがそれぞれ一体に形成されている。また、第１左側連結片４ｄと第２左側連結片４ｆとの間、及び、第１右側連結片４ｅと第２右側連結片４ｇとの間には、前側上縁板４ｂと略同一幅の隙間が形成されている。
【００１６】
後側板５は、底板３に折目Ａ２を介して連続して形成される後側外板５ａと、後側外板５ａの前記折目Ａ２に対向する外縁部に折目Ａ１１を介して一体に形成される後側上縁板５ｂと、後側上縁板５ｂの折目Ａ１１に対向する外縁部に折目Ａ１２を介して一体に形成される後側内板５ｃとを備えている。
【００１７】
さらに、後側外板５ａの左側端部には、折目Ａ１３を介して第３左側連結片５ｄが、後側外板５ａの右側端部には、折目Ａ１４を介して第３右側連結片５ｅがそれぞれ一体に形成されるとともに、後側内板５ｃの左端部には、折目Ａ１５を介して第４左側連結片５ｆが、後側内板５ｃの右端部には、折目Ａ１６を介して第４右側連結片５ｇがそれぞれ形成されている。また、第３左側連結片５ｄと第４左側連結片５ｆとの間、及び、第３右側連結片５ｅと第４右側連結片５ｇとの間には、後側上縁板５ｂと略同一幅の隙間が形成されている。
【００１８】
また、第１左側連結片４ｄと第３左側連結片５ｄの長さ寸法の和と、第２左側連結片４ｆと第４左側連結片５ｆの長さ寸法の和と、第１右側連結片４ｅと第３右側連結片５ｅの長さ寸法の和と、第２右側連結片４ｇと第４右側連結片５ｇの長さ寸法の和とは、板状部材２の短辺の長さ寸法よりもそれぞれ短く形成されている。
【００１９】
また、第１左側連結片４ｄと第３左側連結片５ｄの左側板６側の外端側角部には、後述する左前側頂板９と左後側頂板１０の係止片９ｂ，１０ｂを形成する切込み線Ｂ１，Ｂ２が、第１右側連結片４ｅ，第３右側連結片５ｅの右側板７側の外端側角部には、後述する右前側頂板１１と右後側頂板１２との係止片１１ｂ，１２ｂを形成する切込み線Ｂ３，Ｂ４がそれぞれ形成されている。
【００２０】
さらに、第４左側連結片５ｆ，後側内板５ｃ，第４右側連結片５ｇの後端部には、切取り線Ｃ１，Ｃ１を介して仕切り板８，８が切り取り可能に設けられ、各仕切り板８，８の中央部には、スリット８ａ，８ａがそれぞれ形成されている。
【００２１】
左側板６は、底板３に折目Ａ３を介して連続して一体に形成される左側外板６ａと、左側外板６ａの前記折目Ａ３に対向する外縁中央部に折目Ａ１７を介して一体に形成される左側上縁板６ｂと、左側上縁板６ｂの折目Ａ１７に対向する外縁中央部に、折目Ａ１８を介して一体に形成される左側内板６ｃとを備えている。
【００２２】
左側外板６ａには、折目Ａ１７の一端部から第１左側連結片４ｄ側の端部に亘って折目Ａ１９が、折目Ａ１７と同一直線上に形成され、また、折目Ａ１７の他端部から第３左側連結片５ｄ側の端部に亘って折目Ａ２０が、折目Ａ１７と同一直線上に形成されている。さらに、左側内板６ｃの左側外板６ａ側の両隅部には、折目Ａ１９，Ａ２０を半径とした１／４円形状の切込み線Ｂ５，Ｂ６がそれぞれ設けられ、切込み線Ｂ５の延長線上に、前記第１左側連結片４ｄに形成した切込み線Ｂ１が、切込み線Ｂ６の延長線上に、第３左側連結片５ｄに形成した切込み線Ｂ２がそれぞれ設けられ、切込み線Ｂ１，Ｂ２，Ｂ５，Ｂ６を切り込んで、折目Ａ１９から切り込まれた部分を立ち上げることにより左前側頂板９が、折目Ａ２０から切り込まれた部分を立ち上げることにより左後側頂板１０がそれぞれ形成される。
【００２３】
右側板７は、底板３に折目Ａ４を介して連続して一体に形成される右側外板７ａと、右側外板７ａの前記折目Ａ４に対向する外縁部に折目Ａ２１を介して一体に形成される右側上縁板７ｂと、右側上縁板７ｂの折目Ａ２１に対向する外縁部に、折目Ａ２２を介して一体に形成される右側内板７ｃとを備えている。
【００２４】
右側外板７ａには、折目Ａ２１の一端部から第１右側連結片４ｅ側の端部に亘って折目Ａ２３が、折目Ａ２１と同一直線上に形成され、また、折目Ａ２１の他端部から第３右側連結片５ｅ側の端部に亘って折目Ａ２４が、折目Ａ２１と同一直線上に形成されている。さらに、右側内板７ｃの右側外板７ａ側の両隅部には、折目Ａ２３，Ａ２４を半径とした１／４円形状の切込み線Ｂ７，Ｂ８がそれぞれ設けられ、切込み線Ｂ７の延長線上に、前記第１右側連結片４ｅに形成した切込み線Ｂ３が、切込み線Ｂ８の延長線上に、第３右側連結片５ｅに形成した切込み線Ｂ４がそれぞれ設けられ、切込み線Ｂ３，Ｂ４，Ｂ７，Ｂ８を切り込んで、折目Ａ２３から切り込まれた部分を立ち上げることにより右前側頂板１１が、折目２４から切り込まれた部分を立ち上げることにより右後側頂板１２がそれぞれ形成される。
【００２５】
左前側頂板９と右前側頂板１１とは、切込み線Ｂ５，Ｂ７を切り込むことにより形成される１／４円形状の頂板部９ａ，１１ａと、切込み線Ｂ１，Ｂ３を切り込むことにより形成され、前側板４側に突出する係止片９ｂ，１１ｂとが折目Ａ２５を介して一体にそれぞれ形成される。また、左後側頂板１０と右後側頂板１２とは、切込み線Ｂ６，Ｂ８を切り込むことにより形成される１／４円形状の頂板部１０ａ，１２ａと、切込み線Ｂ２，Ｂ４を切り込むことにより形成され、後側板５側に突出する係止片１０ｂ，１２ｂとが折目Ａ２５を介して一体にそれぞれ形成される。さらに、折目Ａ１９，Ａ２０，Ａ２３，Ａ２４，Ａ２５には、それぞれリード罫または逆罫が入れられており、各頂板部９ａ，１０ａ，１１ａ，１２ａと各係止片９ｂ，１０ｂ，１１ｂ，１２ｂとは、板状部材２の内側と外側の双方に向けて折曲可能にそれぞれ形成されている。
【００２６】
また、前側上縁板４ｂと後側上縁板５ｂとには、各係止片９ｂ，１０ｂ，１１ｂ，１２ｂを係止させる第１係止孔１３がそれぞれ２個ずつ形成されている。さらに、前側外板４ａと後側外板５ａの左右方向の両端部と、左側外板６ａと右側外板７ａの前後方向両端部とには、各係止片９ｂ，１０ｂ，１１ｂ，１２ｂを係止させる第２係止孔１４を形成する係止孔半体１４ａがそれぞれ形成され、包装箱１を組み立てた際に、前側板４と左側板６との角部外面と、前側板４と右側板７との角部外面と、後側板５と左側板６との角部外面と、後側板５と右側板７との角部外面とに、第２係止孔１４がそれぞれ形成される。また、前側内板４ｃ，後側内板５ｃ，左側内板６ｃ，右側内板７ｃには、仕切り板８，８の端部を挿通させる挿通孔１５がそれぞれ形成されている。
【００２７】
次に、上述した板状部材２を折曲加工して包装箱１を形成する手順について説明する。
【００２８】
まず、図２に示されるように、切取り線Ｃ１，Ｃ１を介して仕切り板８，８を、第４左側連結片５ｆ，後側内板５ｃ，第４右側連結片５ｇから切り離す。さらに、各切込み線Ｂ１，Ｂ２，Ｂ３，Ｂ４，Ｂ５，Ｂ６，Ｂ７，Ｂ８を切り込んで、左前側頂板９と左後側頂板１０と右前側頂板１１と右後側頂板１２とを他の部材からそれぞれ切り離す。
【００２９】
次いで、図３乃至図４に示されるように、折目Ａ５を介して前側外板４ａに対して前側上縁板４ｂを直角に立ち上げるとともに、折目Ａ６を介して、前側内板４ｃを前側外板４ａ側に折曲し、前側内板４ｃと前側外板４ａとを重ねた状態とする。また、折目Ａ１を介して前側内板４ｃと前側外板４ａとを底板３に対して直角に立ち上げ、第２左側連結片４ｆを折目Ａ９を介して折目Ａ３方向へ、第１左側連結片４ｄを折目Ａ７を介して折目Ａ３方向へそれぞれ折曲するとともに、第２右側連結片４ｇを折目Ａ１０を介して折目Ａ４方向へ、第１右側連結片４ｅを折目Ａ８を介して折目Ａ４方向へそれぞれ折曲する。
【００３０】
さらに、折目Ａ１１を介して後側外板５ａに対して後側上縁板５ｂを直角に立ち上げるとともに、折目Ａ１２を介して、後側内板５ｃを後側外板５ａ側に折曲し、後側内板５ｃと後側外板５ａとを重ねた状態とする。また、折目Ａ２を介して後側内板５ｃと後側外板５ａとを底板３に対して直角に立ち上げ、第４左側連結片５ｆを折目Ａ１５を介して折目Ａ３方向へ、第３左側連結片５ｄを折目Ａ１３を介して折目Ａ３方向へそれぞれ折曲するとともに、第４右側連結片５ｇを折目Ａ１６を介して折目Ａ４方向へ、第３右側連結片５ｅを折目Ａ１４を介して折目Ａ４方向へそれぞれ折曲する。
【００３１】
次に、折目Ａ３を介して左側外板６ａを底板３に対して直角に立ち上げて、第１左側連結片４ｄと第３左側連結片５ｄの外側に配置し、次いで、折目Ａ１７を介して左側上縁板６ｂを底板３側に直角に折曲するとともに、第２左側連結片４ｆと第４左側連結片５ｆ、及び、第１左側連結片４ｄと第３左側連結片５ｄの上部に左側上縁板６ｂを配置し、折目Ａ１８を介して左側内板６ｃを底板３側に折曲し、第２左側連結片４ｆと第４左側連結片５ｆの内側に配置する。
【００３２】
さらに、折目Ａ４を介して右側外板７ａを底板３に対して直角に立ち上げて、第１右側連結片４ｅと第３右側連結片５ｅの外側に配置し、次いで、折目Ａ２１を介して右側上縁板７ｂを底板３側に直角に折曲するとともに、第２右側連結片４ｇと第４右側連結片５ｇ、及び、第１右側連結片４ｅと第３右側連結片５ｅの上部に右側上縁板７ｂを配置し、折目Ａ２２を介して右側内板７ｃを底板３側に折曲し、第２右側連結片４ｇと第４右側連結片５ｇの内側に配置する。
【００３３】
上述の包装箱１に、４つの苺パックを収容する際には、上述のような手順で底板３の周囲に前側板４，後側板５，左側板６，右側板７を立設した後、図５に示されるように、十字状に組み合わせた仕切り板８，８の端部を、前側内板４ｃ，後側内板５ｃ，左側内板６ｃ，右側内板７ｃに形成した各挿通孔１５にそれぞれ挿通し、４つに区分けされた空間に苺パックをそれぞれ１個ずつ収容する。
【００３４】
次いで、図６に示されるように、折目Ａ１９を介して左前側頂板９の頂板部９ａを板状部材２の内面側に折曲するとともに、折目Ａ２５を介して係止片９ｂを板状部材２の内面側に折曲し、係止片９ｂを、前側上縁板４ｂに形成した第１係止孔１３に挿入して係止させる。また、折目Ａ２０を介して左後側頂板１０の頂板部１０ａを板状部材２の内面側に折曲するとともに、折目Ａ２５を介して係止片１０ｂを板状部材２の内面側に折曲し、係止片１０ｂを後側上縁板５ｂに形成した第１係止孔１３に挿入して係止させる。
【００３５】
さらに、折目Ａ２３を介して右前側頂板１１の頂板部１１ａを板状部材２の内面側に折曲するとともに、折目Ａ２５を介して係止片１１ｂを板状部材２の内面側に折曲し、係止片１１ｂを、前側上縁板４ｂに形成した第１係止孔１３に挿入して係止させる。また、折目Ａ２４を介して右後側頂板１２の頂板部１２ａを板状部材２の内面側に折曲するとともに、折目Ａ２５を介して係止片１２ｂを板状部材２の内面側に折曲し、係止片１２ｂを後側上縁板５ｂに形成した第１係止孔１３に挿入して係止させる。
【００３６】
これにより、苺を傷つけることなく包装箱１に苺パックを収容できるとともに、左前側頂板９，左後側頂板１０，右前側頂板１１，右後側頂板１２が包装箱１の開口部上面の四隅に配置され、苺パックの上部を覆うことから、包装箱１の上部に、他の包装箱１を積み重ねることができる。
【００３７】
苺パックを包装箱１に収容した上述の収容物収容状態から、苺パックを取り出す収容物取り出し状態に包装箱１を組み換える際には、図７、図８及び図９に示されるように、左前側頂板９，左後側頂板１０，右前側頂板１１，右後側頂板１２の各係止片９ｂ，１０ｂ，１１ｂ，１２ｂを各第１係止孔１３から外し、各頂板部９ａ，１０ａ，１１ａ，１２ａを、折目Ａ１９，Ａ２０，Ａ２３，Ａ２４を介して、板状部材２の外面側に折り返すとともに、各係止片９ｂ，１０ｂ，１１ｂ，１２ｂを、折目Ａ２５を介して、板状部材２の外面側に折り返して、各第２係止孔１４にそれぞれ係止させる。これにより、包装箱１の上部を大きく開口させることができ、４つの苺パックを良好に包装箱から取り出すことができる。
【００３８】
さらに、折目Ａ１９，Ａ２０，Ａ２３，Ａ２４の加工を調整することで、収容物収容状態から収容物取り出し状態とする際に、各頂板９，１０，１１，１２を千切り落とすようにしてもよく、特に、頂板９，１０，１１，１２がその後の使用で不要となる場合では、包装箱の上部を各側頂板９，１０，１１，１２を各第２係止孔１４にそれぞれ係止させることなく大きく開口させることができる。
【００３９】
なお、本発明は上述の各形態例のように、４つの苺パックを収容するものに限らず、収容物はどのようなものであっても差し支えない。また、特許請求の範囲の記載内において、包装箱の構成要素は種々の変形が可能である。
【符号の説明】
【００４０】
１…包装箱、２…板状部材、３…底板、４…前側板、４ａ…前側外板、４ｂ…前側上縁板、４ｃ…前側内板、４ｄ…第１左側連結片、４ｅ…第１右側連結片、４ｆ…第２左側連結片、４ｇ…第２右側連結片、５…後側板、５ａ…後側外板、５ｂ…後側上縁板、５ｃ…後側内板、５ｄ…第３左側連結片、５ｅ…第３右側連結片、５ｆ…第４左側連結片、５ｇ…第４右側連結片、６…左側板、６ａ…左側外板、６ｂ…左側上縁板、６ｃ…左側内板、７…右側板、７ａ…右側外板、７ｂ…右側上縁板、７ｃ…右側内板、８…仕切り板、８ａ…スリット、９…左前側頂板、９ａ…頂板部、９ｂ…係止片、１０…左後側頂板、１０ａ…頂板部、１０ｂ…係止片、１１…右前側頂板、１１ａ…頂板部、１１ｂ…係止片、１２…右後側頂板、１２ａ…頂板部、１２ｂ…係止片、１３…第１係止孔、１４…第２係止孔、１４ａ…係止孔半体、１５…挿通孔
【図１】
2018122904.tif 000003
【図２】
2018122904.tif 000004
【図３】
2018122904.tif 000005
【図４】
2018122904.tif 000006
【図５】
2018122904.tif 000007
【図６】
2018122904.tif 000008
【図７】
2018122904.tif 000009
【図８】
2018122904.tif 000010
【図９】
2018122904.tif 000011